(57)【特許請求の範囲】
【請求項１】
負荷を誘導加熱する加熱コイルを含む加熱源を収納する本体と、前記加熱源に対する制御命令を行うものであり、前記本体に収納可能で、操作する場合に収納解除を行う操作部と、前記操作部の操作面に配され各々のバーナーに応じて設けられた複数のバックライト及び透過型または半透過型の液晶を有し、前記操作部の収納解除を行うと前記バックライトを点灯させ、前記操作部を収納すると前記バックライトを消灯させる表示部と、前記負荷の材質を判定する機能と、を備え、前記負荷の材質に応じて前記バックライトの色を替えるとともに前記負荷が使用できない場合は所定の色で表示する構成とした誘導加熱装置。
【発明の詳細な説明】
【技術分野】
【０００１】
本発明は操作部にバックライトを有した表示部を備え、操作部を本体に収納可能な誘導加熱装置に関するものである。
【背景技術】
【０００２】
従来、この種の誘導加熱装置には調理設定の操作や、設定状態の確認のためのユーザーの姿勢及び視線変化を減少し、表示部の視認性に優れた使い勝手の良いものがあった。
【０００３】
図４は、従来の誘導加熱装置を示すものである。図４に示すように本体１と操作部２と第１の表示部３と第２の表示部４とから構成されている（例えば、特許文献１参照）。
【特許文献１】特開平６−３４７０４６号公報
【発明の開示】
【発明が解決しようとする課題】
【０００５】
本発明は、表示回路の消費電力を低減せしめ使用者に鍋の使用可否および鍋の種類を視的に訴える誘導加熱装置を提供することを目的とする。
【課題を解決するための手段】
【０００６】
前記従来の課題を解決するために、本発明の誘導加熱装置は、負荷を誘導加熱する加熱コイルを含む加熱源を収納する本体と、前記加熱源に対する制御命令を行うものであり、前記本体に収納可能で操作する場合に収納解除を行う操作部と、前記操作部の操作面に配され各々のバーナーに応じて設けられた複数のバックライト及び透過型または半透過型の
液晶を有し、前記操作部の収納解除を行うと前記バックライトを点灯させ、前記操作部を収納すると前記バックライトを消灯させる表示部と、前記負荷の材質を判定する機能と、を備え、前記負荷の材質に応じて前記バックライトの色を替えるとともに前記負荷が使用できない場合は所定の色で表示する構成としたものである。
【０００７】
これによって、使用者が本体から操作部を収納解除し、一旦操作部にて操作し調理を行う上で、操作部が調理の妨げになるため操作部を本体に収納された場合にバックライトと透過型もしくは半透過型液晶の表示を消灯させることで不必要となる表示回路の消費電力を低減できるとともに、使用者に鍋の使用可否および鍋の種類を視的に訴えることができる。
【発明の効果】
【０００８】
本発明の誘導加熱装置は、操作部を使用しない場合、特に本体に操作部を収納するような場合はバックライトを消灯することにより、不必要となる表示回路の消費電力を低減できるとともに、使用者に鍋の使用可否および鍋の種類を視的に訴えることができる。
【発明を実施するための最良の形態】
【０００９】
第１の発明は、負荷を誘導加熱する加熱コイルを含む加熱源を収納する本体と、前記加熱源に対する制御命令を行うものであり、前記本体に収納可能で操作する場合に収納解除を行う操作部と、前記操作部の操作面に配され各々のバーナーに応じて設けられた複数のバックライト及び透過型または半透過型の液晶を有し、前記操作部の収納解除を行うと前記バックライトを点灯させ、前記操作部を収納すると前記バックライトを消灯させる表示部と、前記負荷の材質を判定する機能と、を備え、前記負荷の材質に応じて前記バックライトの色を替えるとともに前記負荷が使用できない場合は所定の色で表示する構成とすることにより、使用者が誘導加熱装置本体から操作部を収納解除し、一旦操作部にて操作し調理を行う上で、操作部が調理の妨げになるため操作部を誘導加熱装置本体に収納された場合にバックライトと透過型もしくは半透過型液晶の表示を消灯させることで不必要となる表示回路の消費電力を低減できる。
【００１６】
また、誘導加熱装置は誘導加熱される負荷（鍋）の材質を判定する機能を備え、使用者が誘導加熱装置を操作する場合に操作部の収納解除を行うとともに表示部のバックライトを点灯させ、使用する鍋の材質に応じてバックライトの色を替え、また使用できない鍋等もある色で表示する構成とすることにより、使用者に鍋の使用可否ならびに鍋の種類を視的に訴えることができる。
【００１８】
以下、本発明の実施の形態及び参考の形態について、図面を参照しながら説明する。なお、この実施の形態によって本発明が限定されるものではない。
【００１９】
（実施の形態１）
図１は、本発明の第１の実施の形態における誘導加熱装置の操作部付近の構成を示す主要部外観斜視図を示すものである。また図２は操作部の断面図を示す操作部断面図である。
【００２０】
図１において、操作部１１は誘導加熱を行う為の加熱コイル、電源を含んだ加熱源を制御命令するもので、誘導加熱装置本体１２に収納可能となっており、操作面に配された操作キー１３と各々の加熱コイルに応じた複数の表示部１４とからなる。図２において、表示部１４はバックライト１５と透過型もしくは半透過型液晶１６とから構成されている。
【００２１】
以上のように構成された誘導加熱装置について、以下その動作、作用を説明する。
【００２２】
表示部１４は透過型もしくは半透過型液晶１６に表示される表示をバックライト１５の点灯によって透過させ使用者に視的に認識しやすい構成となっている。使用者が誘導加熱装置を使用する場合は、操作部１１を誘導加熱装置本体１２より収納解除（図１（ａ））し、使用者の姿勢及び視線変化を減少、また表示部１４の視認性に優れるように操作部１１はある角度で固定されるようにしてあり、その操作部１１のキー操作によって調理できる構成となっている。使用者が操作を終え調理途中に操作部１１が調理の妨げとなり、操作部１１を誘導加熱装置本体１２に収納（図１（ｂ））した場合には、記載していない収納検知手段、例えば、ラッチスイッチを設けて操作部１１の収納によるスイッチの開閉で検知する方法、あるいは、照度センサーを操作部１１の表面に設けて、明るさの変化を検知する方法等により操作部１１の収納を検知して、バックライト１５と透過型もしくは半透過型液晶１６の表示を消灯させることで不必要となる表示回路の消費電力を低減できる。
【００２３】
また本実施の形態では、使用者が誘導加熱装置を操作する場合に操作部１１の収納解除（図１（ａ））を行うとともに表示部１４のバックライト１５及び透過型もしくは半透過型液晶１６を点灯させ、使用者が操作キー１３で操作を行った際、その使用している該当部分のバックライト１５及び透過型もしくは半透過型液晶１６のみを点灯させ、それ以外は消灯させる構成とすることにより、使用者が使用していない部分のみのバックライトを消灯することで不必要となる表示回路の消費電力を低減できる。
【００２４】
また本実施の形態では、使用者が誘導加熱装置を操作する場合に操作部１１の収納解除（図１（ａ））を行うとともに表示部１４のバックライト１５及び透過型もしくは半透過型液晶１６を点灯させ、使用者が操作キー１３で操作を行った際、その使用している該当部分のバックライト１５及び透過型もしくは半透過型液晶１６のみを点灯させ、該当部分の使用終了後すぐ、あるいは任意の時間経過後消灯させる構成とすることにより、不必要な表示回路の消費電力を低減できる。
【００２５】
また本実施の形態では、使用者が誘導加熱装置を操作する場合に操作部１１の収納解除（図１（ａ））を行うとともに表示部１４のバックライト１５及び透過型もしくは半透過型液晶１６を点灯させ、使用者が操作キー１３を操作し任意にバックライト１５の点灯及び消灯を選択できる構成とすることにより、不必要な表示回路の消費電力を低減できる。
【００２６】
また本実施の形態では、使用者が誘導加熱装置を操作する場合に操作部１１の収納解除（図１（ａ））を行うとともに表示部１４のバックライト１５及び透過型もしくは半透過型液晶１６を点灯させ、使用者が任意に操作キー１３を操作しバックライト１５の調光を可能とする構成とすることにより、使用者の好みに応じて表示部１４の明るさを調光できる。
【００２７】
また本実施の形態では、使用者が誘導加熱装置を操作する場合に操作部１１の収納解除（図１（ａ））を行うとともに表示部１４のバックライト１５及び透過型もしくは半透過型液晶１６を点灯させ、使用者が操作キー１３を操作し任意にバックライト１５の色を自由に選択できる構成とすることにより、使用者の好みに応じて表示部１４の色を選択できる。
【００２８】
また本実施の形態では、使用者が誘導加熱装置を操作する場合に操作部１１の収納解除（図１（ａ））を行うとともに表示部１４のバックライト１５及び透過型もしくは半透過型液晶１６を点灯させ、使用者が操作キー１３を操作し設定した火力に応じてバックライト１５の色を替える構成とすることにより、使用者に設定火力に応じてバックライト１５の色を変えることで視的に分かりやすく訴えることができる。
【００２９】
また本実施の形態では、誘導加熱装置は誘導加熱される負荷（鍋）の材質を判定する機能を備え、使用者が誘導加熱装置を操作する場合に操作部１１の収納解除（図１（ａ））を行うとともに表示部１４のバックライト１５及び透過型もしくは半透過型液晶１６を点灯させ、使用する鍋の材質に応じてバックライト１５の色を替え、また使用できない鍋等もある色で表示する構成とすることにより、使用者に鍋の使用可否ならびに鍋の種類を視的に訴えることができる。
【００３０】
（参考の形態１）
図３は、本発明の第１の参考の形態における誘導加熱装置の操作部付近の構成を示す主要部外観斜視図を示すものである。
【００３１】
図３において、誘導加熱装置本体１２は人体センサー１７を備え、使用者が誘導加熱装置を操作する場合に操作部１１の収納解除を行うとともに表示部１４のバックライト１５及び透過型もしくは半透過型液晶１６を点灯させ、使用者が誘導加熱装置本体１２から任意の距離または時間離れた場合には人体センサー１７によって検知し、バックライト１５及び透過型もしくは半透過型液晶１６を消灯させ、使用者がその設定された距離以内に入った場合にも人体センサー１７によってバックライト１５及び透過型もしくは半透過型液晶１６を点灯させる構成とすることにより、使用者が煮込み調理中など比較的調理時間の長い調理において、誘導加熱装置本体１２から離れた場合にバックライト１５及び透過型もしくは半透過型液晶１６を消灯させ、使用者が誘導加熱装置本体１２近くに戻ってきた場合にはバックライト１５及び透過型もしくは半透過型液晶１６を点灯させることで不必要となる表示部１４の消費電力を低減できる。
【産業上の利用可能性】
【００３２】
以上のように、本発明にかかる誘導加熱装置は、操作部に配されるバックライトで透過させる表示部を不必要なときには消灯させることで、使い勝手や安全性を損なうことなく、表示部の消費電力を低減できることが可能となり、既に実用化されている誘導加熱調理器、誘導加熱式炊飯器はもとより、バックライトで透過させる表示部を有する機器等の用途にも適用できる。
【図面の簡単な説明】
【００３３】
【図１】（ａ）本発明の第１の実施の形態における誘導加熱装置の操作部収納解除時の構成を示す主要部外観斜視図（ｂ）本発明の第１の実施の形態における誘導加熱装置の操作部収納時の構成を示す主要部外観斜視図
【図２】操作部の断面図を示す操作部断面図
【図３】本発明の第１の参考の形態における誘導加熱装置の操作部収納解除時の構成を示す主要部外観斜視図
【図４】従来の誘導加熱装置の操作部収納解除時の構成を示す主要部外観斜視図
【符号の説明】
【００３４】
１１  操作部
１２  誘導加熱装置本体
１３  操作キー
１４  表示部
１５  バックライト
１６  透過型もしくは半透過型液晶
１７  人体センサー
【図１】
0004315149.tif 000002
【図２】
0004315149.tif 000003
【図３】
0004315149.tif 000004
【図４】
0004315149.tif 000005